(57)【要約】      （修正有）【課題】完全にエマルジョン化をすること無く燃焼させることができる不完全エマルジョン燃料と、その不完全エマルジョン燃料を用いて燃料１００％よりも高い熱量を得ることができる高熱量発生方法を提供する。【解決手段】特殊な水である創生水と燃料とを混合手段７６によって混合させて創生水と燃料とを微粒子として混在させたものを燃料として使用する。その燃料をバーナー９２の燃料噴射ノズル９４から噴射し、燃料噴射ノズル９４から噴射された燃料に酸素を投入混合させ、燃料と酸素とを混合した後に、火炎又は着火手段で着火させる。【選択図】図５
2012036342.tif 000002
【特許請求の範囲】
【請求項１】
水を最初にイオン交換樹脂を通過させ、次にトルマリンと二酸化珪素を約６５〜７６％を含む流紋岩または花崗岩から成る岩石とのどちらか一方を先に他方を後に通過させた特殊な水と、重油とを、混合手段で混合させて特殊な水と重油とを微粒子として混在させた不完全エマルジョン燃料を、バーナーの燃料噴射ノズルから噴射し、前記燃料噴射ノズルから噴射した不完全エマルジョン燃料に酸素を投入混合させ、前記不完全エマルジョン燃料と前記酸素との混合物に着火させることを特徴とする不完全エマルジョン燃料の高熱量発生方法。
【請求項２】
前記流紋岩は、黒曜石，真珠岩及び松脂岩のうちの少なくとも１つから成る岩石としたことを特徴とする請求項１記載の油分乳化物。
【請求項３】
前記トルマリンにアルミニウム，ステンレス及び銀のうちの少なくとも１つから成る金属を混在させたものとしたことを特徴とする請求項１記載の油分乳化物。
【請求項４】
前記特殊な水と前記重油との混合重量比を、１３．６％：８６．４％〜７８．４％：２３．６％としたことを特徴とする請求項１乃至３のうちのいずれか１項記載の不完全エマルジョン燃料の高熱量発生方法。
【請求項５】
水を最初にイオン交換樹脂を通過させ、次にトルマリンと二酸化珪素を約６５〜７６％を含む流紋岩または花崗岩から成る岩石とのどちらか一方を先に他方を後に通過させた特殊な水と、重油とを、混合手段によって混合させて、特殊な水と重油とを微粒子として混在させたことを特徴とする不完全エマルジョン燃料。
【請求項６】
前記流紋岩は、黒曜石，真珠岩及び松脂岩のうちの少なくとも１つから成る岩石としたことを特徴とする請求項５記載の不完全エマルジョン燃料。
【請求項７】
前記トルマリンにアルミニウム，ステンレス及び銀のうちの少なくとも１つから成る金属を混在させたものとしたことを特徴とする請求項５記載の不完全エマルジョン燃料。
【請求項８】
前記不完全エマルジョン燃料に酸素を混合しない場合において、前記不完全エマルジョン燃料における前記特殊な水と前記重油との混合重量比を、１３．６：８６．４〜６０．２：３９．８としたことを特徴とする請求項５乃至７のうちのいずれか１項記載の不完全エマルジョン燃料。
【請求項９】
前記不完全エマルジョン燃料に着火前に酸素を混合する場合において、前記不完全エマルジョン燃料における前記特殊な水と前記重油との混合重量比を、１３．６％：８６．４％〜７８．４％：２３．６％としたことを特徴とする請求項５乃至７のうちのいずれか１項記載の不完全エマルジョン燃料。
【発明の詳細な説明】
【技術分野】
【０００１】
本発明は、燃焼可能な不完全エマルジョン燃料と、その不完全エマルジョン燃料を用いて高熱量を発生するための高熱量発生方法に関するものである。
【背景技術】
【０００２】
従来から、水と燃料とを混合したエマルジョン燃料が従来から知られている。しかし、水と燃料とを単に攪拌混合しても乳化しないことから、界面活性剤を介して水と燃料とを乳化させてエマルジョン燃料を作っている。エマルジョン燃料の製造方法としては、特許文献１をはじめとして多数のものが提供されている。
【０００３】
エマルジョン燃料では一般に、水の混合比率を高くすればする程、燃料１００％に比べて、水の混合比率に比例して発熱量が低くなるものである。例えば、水の混合比率が３０％で燃料の混合比率が７０％のエマルジョン燃料では、燃料１００％の発熱量に対して７０％の発熱量しか得られないということが定説になっている。このように、エマルジョン燃料では、それに含まれる燃料だけの発熱量しか得られないため、必要とする発熱量の全量を得るためにかかる時間が、燃料１００％のものに比べて長くなるという欠点があった。更に、エマルジョン燃料は一般に、乳化状態を長期間保持できず、途中で利用できなくなるという欠点があった。
【０００４】
この欠点を克服するものとして、エマルジョン燃料を使用しても高い発熱量を得ることができるエマルジョンを用いた高効率燃焼方法及び燃焼装置が提供されている（特許文献２）。
【先行技術文献】
【特許文献】
【０００５】
【特許文献１】特開２００４−１０７６５
【特許文献１】特開２０００−６３８５７
【発明の概要】
【発明が解決しようとする課題】
【０００６】
特許文献２のエマルジョン燃料は、１０００℃以上に予熱した燃焼空気を燃焼室内に高速噴射で導入させ、この空気流でエマルジョン燃料を燃焼室内に噴射させて低酸素燃焼をさせるものである。この特許文献２によれば、エマルジョン燃料を使用しても高い発熱量を得ることができるとするものである。しかし、特許文献２のエマルジョン燃料は、従来既知のエマルジョン燃料の欠点を解消することができるが、１０００℃以上に予熱した燃焼空気を作り出す必要があり、その装置も多大なコストがかかるという欠点があり、容易に利用することができないものであった。
【０００７】
本発明は、生成して直ちに使用するものであって、完全にエマルジョン化をすることが無くても燃焼させることができる不完全エマルジョン燃料と、その不完全エマルジョン燃料を用いてその不完全エマルジョン燃料に含まれる燃料そのものが持つ発熱量よりも高い発熱量を得ることができる高熱量発生方法を提供することを目的とするものである。
【課題を解決するための手段】
【０００８】
本発明の不完全エマルジョン燃料の高熱量発生方法は、水を最初にイオン交換樹脂を通過させ、次にトルマリンと二酸化珪素を約６５〜７６％を含む流紋岩または花崗岩から成る岩石とのどちらか一方を先に他方を後に通過させた特殊な水と、重油とを、混合手段で混合させて特殊な水と重油とを微粒子として混在させた不完全エマルジョン燃料を、バーナーの燃料噴射ノズルから噴射し、前記燃料噴射ノズルから噴射した不完全エマルジョン燃料に酸素を投入混合させ、前記不完全エマルジョン燃料と前記酸素との混合物に着火させることを特徴とするものである。本発明は、前記流紋岩は、黒曜石，真珠岩及び松脂岩のうちの少なくとも１つから成る岩石としたことを特徴とするものである。本発明は、前記トルマリンにアルミニウム，ステンレス及び銀のうちの少なくとも１つから成る金属を混在させたものとしたことを特徴とするものである。本発明は、前記特殊な水と前記重油との混合重量比を、１３．６％：８６．４％〜７８．４％：２３．６％としたことを特徴とするものである。
【０００９】
本発明の不完全エマルジョン燃料は、水を最初にイオン交換樹脂を通過させ、次にトルマリンと二酸化珪素を約６５〜７６％を含む流紋岩または花崗岩から成る岩石とのどちらか一方を先に他方を後に通過させた特殊な水と、重油とを、混合手段によって混合させて、特殊な水と重油とを微粒子として混在させたことを特徴とするものである。本発明は、前記流紋岩は、黒曜石，真珠岩及び松脂岩のうちの少なくとも１つから成る岩石としたことを特徴とするものである。本発明は、前記トルマリンにアルミニウム，ステンレス及び銀のうちの少なくとも１つから成る金属を混在させたものとしたことを特徴とするものである。本発明は、前記不完全エマルジョン燃料に酸素を混合しない場合において、前記不完全エマルジョン燃料における前記特殊な水と前記重油との混合重量比を、１３．６：８６．４〜６０．２：３９．８としたことを特徴とするものである。本発明は、前記不完全エマルジョン燃料に着火前に酸素を混合する場合において、前記不完全エマルジョン燃料における前記特殊な水と前記重油との混合重量比を、１３．６％：８６．４％〜７８．４％：２３．６％としたことを特徴とするものである。
【発明の効果】
【００１０】
本発明の不完全エマルジョン燃料は、特殊な水である創生水と燃料とを攪拌混合することで創生水と燃料とを微細化して均一に混在させるものである。この不完全エマルジョン燃料は、水と燃料とから不完全エマルジョン燃料を生成後に直ちに燃焼させることから、完全にエマルジョン化しない状態でも、燃焼を可能とするものである。不完全エマルジョン燃料の構成要素である創生水は内部に多数の空孔を有し、その空孔に気体（水素）を含んでいると推測される。燃料噴射ノズルから不完全エマルジョン燃料を噴射する際に、不完全エマルジョン燃料は高圧から大気圧（低圧）へ圧力開放がなされ、その圧力開放によって不完全エマルジョン燃料に内蔵されている水素が外部に放出されると推測される。よって、この不完全エマルジョン燃料が着火されると、創生水から外部に放出されると推測される水素ガスに酸素ガスが混合してそれらが燃焼することよって熱量が増加される。エマルジョン燃料の発熱量は、そのエマルジョン燃料に含まれる燃料の発熱量に相当するが、本発明の不完全エマルジョン燃料では、空気中に放出される水素と酸素とが燃焼することによる熱量の増加があることで、そのエマルジョン燃料に含まれる燃料の発熱量よりも高い発熱量を出すことができる。本発明は、完全なエマルジョン化を目的とせず、しかも界面活性剤を使用する必要性を無くしたものであるので、界面活性剤を使用しないことによる費用の削減を果たし、かつ界面活性剤を使用しないことによるエマルジョン燃料の燃焼温度の低下を防止することができる。
【００１１】
本発明の不完全エマルジョン燃料の高熱量発生方法では、不完全エマルジョン燃料（創生水の内部の多数の空孔に水素を含んでいると推測される）を燃料噴射ノズルから噴射した際に、不完全エマルジョン燃料は高圧から低圧へ至った際に圧力開放がなされ、その圧力開放によって不完全エマルジョン燃料に内蔵されている水素が外部に放出されると推測される。燃料噴射ノズルから噴射された不完全エマルジョン燃料が着火される前に、不完全エマルジョン燃料に酸素を混合させる。即ち、不完全エマルジョン燃料から放出される水素に新たに酸素を投入して、水素と酸素とを混合させ、水素と酸素との混合物に着火させる。水素と酸素との混合物に着火することで、高い燃料温度が得られることは従来から明らかであるので、燃料噴射ノズルから噴射される不完全エマルジョン燃料に酸素を投入混合した混合物を燃焼する温度は、不完全エマルジョン燃料に含まれる燃料の発熱量よりも充分に高い発熱量を発生する。この結果、エマルジョン燃料において、発熱量を高くすることができないという従来の欠点を解消することができる。
【図面の簡単な説明】
【００１２】
【図１】本発明に係る不完全なエマルジョン燃料水素の製造方法に使用する特殊な水（創生水）を作る製造装置の一例を示す構成図である。
【図２】図１に示す製造装置に用いる水生成器の断面図である。
【図３】図１に示す製造装置に用いるイオン生成器の要部断面図である。
【図４】本発明に係る水素の製造方法に使用する特殊な水（創生水）を作る製造装置の他の例を示す構成図である。
【図５】本発明の不完全エマルジョン燃料を製造するための装置を示す構成図である。
【図６】不完全エマルジョン燃料に酸素を投入混合させるための装置と、火炎の温度を測定するための装置とを示す構成図である。
【図７】不完全エマルジョン燃料とＡ重油とをそのまま燃焼させた状態と、不完全エマルジョン燃料とＡ重油とにそれぞれ酸素を混合投入した場合の測定結果を示す説明図である。
【発明を実施するための形態】
【００１３】
本発明は、不完全エマルジョン燃料とその不完全エマルジョン燃料を用いて燃料１００％よりも高い熱量を発生するための高熱量発生方法である。本発明について説明する前に、先ず、本発明で使用する特殊な水（以下、「創生水」とする）を、図１乃至図３に基づいて説明する。図１は創生水の製造装置の一実施例を示す構成図である。第１の軟水生成器１０と第２の軟水生成器１２とイオン生成器１４と岩石収納器１６とを、連絡管１８ａ，１８ｂ，１８ｃを介して、順に直列に連結する。第１の軟水生成器１０には、例えば水道のような圧力のある水が水供給管２０から連絡管２２を介して内部に導入される。水供給管２０と連絡管２２との間には、蛇口のような入口用開閉弁２４が備えられ、連絡管２２の途中には逆止弁２６が備えられる。岩石収納器１６の出口側には吐出管２８が取り付けられ、吐出管２８の先端または途中に出口用開閉弁３０が備えられる。
【００１４】
水道水の場合、水供給管２０から送り出される水は、第１の軟水生成器１０と第２の軟水生成器１２とイオン生成器１４と岩石収納器１６の順を経て、出口用開閉弁３０を開くことによって吐出管２８から取り出される。水道水以外の場合は、図示しないが、水槽に溜めた水をポンプによって、水供給管２０を経由して第１の軟水生成器１０に導入する。この場合、ポンプと第１の軟水生成器１０との間に逆止弁２６を備える。
【００１５】
第１の軟水生成器１０と第２の軟水生成器１２は、その内部に粒状のイオン交換樹脂３２を大量に収納するもので、その断面図を図２に示す。軟水生成器１０，１２の本体３４は筒状をしており、その筒状の上下端面に水の出入口３６ａ，３６ｂを有する。筒状の本体３４の内部には、上下の端面からやや離れた位置の内壁に、それぞれ中央に穴を開けたシールド部材３８ａ，３８ｂを備える。その一対のシールド部材３８ａ，３８ｂの間に、イオン交換樹脂３２を細かい網４０に入れた状態で収納する。上下の出入口３６ａ，３６ｂからやや離れた位置の内壁に、中央に穴を開けたシールド部材３８を備えるのは、イオン交換樹脂３２を入れた網４０を一対のシールド部材３８の間に配置し、出入口３６ａ，３６ｂ付近に空間４２ａ，４２ｂを形成させるためである。また、シールド部材３８ａ，３８ｂの中央の穴から水を出入りさせるようにしたのは、水がイオン交換樹脂３２に必ず接触させるためである。イオン交換樹脂３２を網４０に入れるのは、粒状のイオン交換樹脂３２を洗浄するために取り出す際に、網４０ごと粒状のイオン交換樹脂３２を取り出せるようにしたものである。
【００１６】
第１の軟水生成器１０と第２の軟水生成器１２は、その高さを例えば８０ｃｍとし、内径を１０ｃｍとする。そして、例えばイオン交換樹脂３２の収納高さを７０ｃｍとし（上下に空間４２ａ，４２ｂを存在させる）。この際、イオン交換樹脂３２の収納高さは、水にイオン交換が充分行なえるような高さが必要である。一方、イオン交換樹脂３２の収納高さが高くなりすぎると（例えばイオン交換樹脂３２の収納高さが約２００ｃｍ以上になると）、イオン交換樹脂３２が水の抵抗となって軟水生成器の内部を通過する流量が減少するため、イオン交換樹脂３２の収納高さを流量が減少しない高さにする。イオン交換樹脂３２を収納する容器を２つに分けたのは、第１の軟水生成器１０や第２の軟水生成器１２の高さをイオン生成器１４や岩石収納器１６と同じ程度の高さに低く押えるためと、そこを通過する水の圧損失によって流量が減少することを避けるためである。また、２つの軟水生成器１０，１２を１つにまとめて、１つの軟水生成器にすることも可能である。
【００１７】
イオン交換樹脂３２は、水に含まれているＣａ2+やＭｇ2+やＦｅ2+等の金属イオンを除去して、水を軟水にするためのものであり、特に水の硬度をゼロに近い程度に低くするためのものである。イオン交換樹脂３２としては、例えば、スチレン・ジビニルベンゼンの球状の共重合体を均一にスルホン化した強酸性カチオン交換樹脂（ＲｚＳＯ3 Ｎａ）を用いる。このイオン交換樹脂３２は、水に含まれているＣａ2+やＭｇ2+やＦｅ2+等の金属イオンとは、以下のイオン交換反応を生じる。
２ＲｚＳＯ3 Ｎａ  ＋  Ｃａ2+  →  （ＲｚＳＯ3 ）2 Ｃａ  ＋  ２Ｎａ+
２ＲｚＳＯ3 Ｎａ  ＋  Ｍｇ2+  →  （ＲｚＳＯ3 ）2 Ｍｇ  ＋  ２Ｎａ+
２ＲｚＳＯ3 Ｎａ  ＋  Ｆｅ2+  →  （ＲｚＳＯ3 ）2 Ｆｅ  ＋  ２Ｎａ+
即ち、イオン交換樹脂３２を通すことによって、水に含まれているＣａ2+やＭｇ2+やＦｅ2+等を除去することができる。イオン交換樹脂３２として強酸性カチオン交換樹脂（ＲｚＳＯ3 Ｎａ）を用いることによって、ナトリウムイオン（Ｎａ+ ）が発生する。イオン交換樹脂３２は、Ｎａ+ 以外のものが発生するものであっても構わないが、Ｎａ+ を発生するものの方が好ましい。水が水道水であれば、その水道水の中にはＣａ2+やＭｇ2+やＦｅ2+等の金属イオンの他に塩素が含まれているが、水道水がイオン交換樹脂３２を通ることによって、この塩素には何も変化が生じない。
【００１８】
一方、水（Ｈ2 Ｏ）がイオン交換樹脂３２を通ることによって、以下のように変化する。
Ｈ2 Ｏ  →  Ｈ+   ＋  ＯＨ-     ……(1) 
Ｈ2 Ｏ  ＋  Ｈ+   →  Ｈ3 Ｏ+   ……(2) 
即ち、(1) (2) に示すように、イオン交換樹脂３２を通ることによって、水からは水酸化イオン（ＯＨ- ）とヒドロニウムイオン（Ｈ3 Ｏ+ ）とが発生する。
【００１９】
このように、水が硬水であった場合に、イオン交換樹脂３２を通過することによって、水からＣａ2+やＭｇ2+やＦｅ2+等の金属イオンが除去されて軟水となる。また、イオン交換樹脂３２を通過することによって、水の中にＮａ+ とＯＨ- とヒドロニウムイオン（Ｈ3 Ｏ+ ）とが発生する。しかし、水道水に含まれている塩素（Ｃｌ）はイオン化しないでそのまま通過する。なお、イオン交換樹脂３２の種類によっては、Ｎａ+ が発生しないこともある。
【００２０】
次に、前記イオン生成器１４の部分断面図を図３に示す。イオン生成器１４は、複数個のカートリッジ４４を同じ配置で上下に連続して直列に連結したものである。各カートリッジ４４の内部に、粒状のトルマリン４６のみか、粒状のトルマリン４６と板状の金属４８との混合物かのいずれかを収納する。トルマリンは、プラスの電極とマイナスの電極とを有するもので、このプラスの電極とマイナスの電極によって、水に４〜１４ミクロンの波長の電磁波を持たせ、かつ水のクラスターを切断してヒドロニウムイオン（Ｈ3 Ｏ+ ）を発生させるためのものである。その４〜１４ミクロンの波長の電磁波が持つエネルギは０．００４ｗａｔｔ／ｃｍ2 である。ここで、トルマリン４６とは、トルマリン石を細かく砕いたものであっても良いが、トルマリンとセラミックと酸化アルミニウム（銀を含むものもある）との重量比を約１０：８０：１０とする市販のトルマリンペレットと呼ばれるトルマリン混合物であっても良い。このトルマリンペレットに含まれるセラミックは、プラスの電極とマイナスの電極を分離しておく作用をする。ここで、トルマリン４６をセラミックに対し重量比１０％以上の割合で混合させて８００°Ｃ以上で加熱することによって、水の攪拌によって所定の期間（例えば直径４mmで約３ヶ月）で消滅するトルマリン４６を作ることができる。トルマリン４６は、加熱によって強度が増し、摩滅期間を長くすることができる。イオン交換樹脂３２を通過させて水を硬度がゼロに近い軟水にして、その軟水の中でトルマリン４６同士をこすり合わせる。硬度がゼロに近い軟水では、トルマリン４６のマイナスの電極にマグネシウムイオンやカルシウムイオンが付着するのを防ぐことができ、トルマリン４６のプラスとマイナスの電極としての働きを低下させることを防ぐことができる。
【００２１】
前記金属４８としては、アルミニウム、ステンレス、銀の少なくとも１種類の金属を用いる。この金属４８としては、水中で錆を発生させたり水に溶けたりしない金属が望ましい。この金属４８のうち、アルミニウムは殺菌作用や抗菌作用と共に漂白作用を有しており、ステンレスは殺菌作用や抗菌作用と共に洗浄向上作用を有しており、銀は殺菌作用や抗菌作用を有している。金属４８としては、銅や鉛は毒性を有しているので採用することができない。また、金等の高価な素材はコスト上からも採用することができない。前記トルマリン４６と金属４８との重量比は、１０：１〜１：１０が望ましい。その範囲を超えると、一方の素材が多くなりすぎ、両方の素材の効果を同時に発揮することができない。
【００２２】
カートリッジ４４は一端を開放した筒状をしており、その底面５０に多数の穴５２が設けられている。カートリッジ４４の内部にトルマリン４６と金属４８とを入れた場合に、底面５０の穴５２をトルマリン４６や金属４８が通過しないように穴５２の大きさを設定する。図３に示すように、各カートリッジ４４は多数の穴５２を設けた底面５０を下側にし、その底面５０の上にトルマリン４６や金属４８を載せる。そして、各カートリッジ４４の内部を下位から上位に向かって流れるように設定する。即ち、各カートリッジ４４においては、底面５０の多数の穴５２を通過した水が、下から上に向けてトルマリン４６と金属４８とに噴射するように設定されている。ここで、水道水は高い水圧を有するので、その水圧を有する水がカートリッジ４４内のトルマリン４６と金属４８に勢いよく衝突し、その水の勢いでトルマリン４６と金属４８とがカートリッジ４４内で攪拌されるように、穴５２の大きさ並びに個数を設定する。水をトルマリンに噴射してトルマリンを攪拌するのは、その攪拌によってトルマリンと水とに摩擦が生じ、トルマリンからプラスとマイナスの電極が水に溶け出して水のクラスターを切断し、ヒドロニウムイオン（Ｈ3 Ｏ+ ）を大量に発生させるためである。
【００２３】
実際の設置例としては、内径５ｃｍで深さが７ｃｍの収容容積を有するカートリッジ４４を４段に重ね、そのカートリッジ４４内にトルマリン４６と金属４８とを充分収納するが、トルマリン４６と金属４８とがカートリッジ４４内で自由に移動できるような分量とする。カートリッジ４４の段数を増減しても構わないし、収容容積を大きくした１個のカートリッジ４４にしても良い。このように、トルマリン４６と金属４８を収容容積を小さくした複数のカートリッジ４４に分散させて、それらの複数のカートリッジ４４を接続させることで、水の勢いによってトルマリン４６と金属４８との撹拌効率を高めることができる。カートリッジ４４内に収納したトルマリン４６は、水に溶けて数ヶ月で消滅するので、各カートリッジ４４は例えば螺合等の手段によって容易に着脱出来るようにし、各カートリッジ４４内にトルマリン４６を容易に補充できるようにする。なお、金属４８は水に溶けないので補充する必要がないが、トルマリン４６と金属４８とを入れたカートリッジ４４全体を取替えることも可能である。カートリッジ４４は使用流量の大小に応じてその収容容積を変えるようにしても良い。
【００２４】
カートリッジ４４を通過する水に加えるマイナスイオンを増やすためには、トルマリン４６同士がこすり合うことでプラスの電極とマイナスの電極が発生し、そのトルマリン４６に水が接触することで、マイナスイオンの増加が達成できる。また、水のクラスターを切断し、ヒドロニウムイオン（Ｈ3 Ｏ+ ）を大量に発生させるためには、カートリッジ４４内にトルマリン４６のみを収容すれば良い。しかし、金属４８をトルマリン４６と混合させることによって、それらが接触し合ってトルマリン４６に発生するマイナスイオンをより増加させることができる。即ち、金属４８は、トルマリン４６に発生するマイナスイオンをより増加させるための役割を果たすものである。
【００２５】
トルマリン４６にはプラス電極とマイナス電極とを有するため、トルマリンが水で攪拌されると、水（Ｈ2 Ｏ）は水素イオン（Ｈ+ ）と水酸化イオン（ＯＨ- ）とに解離する。
Ｈ2 Ｏ  →  Ｈ+   ＋  ＯＨ-     ……(1) 
更に、水素イオン（Ｈ+ ）と水（Ｈ2 Ｏ）とによって、界面活性作用を有するヒドロニウムイオン（Ｈ3 Ｏ+ ）が発生する。このヒドロニウムイオン（Ｈ3 Ｏ+ ）の発生量は、前記イオン交換樹脂３２によって発生する量よりはるかに多い量である。
Ｈ2 Ｏ  ＋  Ｈ+   →  Ｈ3 Ｏ+     ……(2) 
このヒドロニウムイオン（Ｈ3 Ｏ+ ）の一部は、水（Ｈ2 Ｏ）と結びついてヒドロキシルイオン（Ｈ3 Ｏ2-）と水素イオン（Ｈ+ ）になる。
Ｈ3 Ｏ+   ＋  Ｈ2 Ｏ  →  Ｈ3 Ｏ2-  ＋  ２Ｈ+   ……(3)
【００２６】
イオン交換樹脂３２を通過した水を、イオン生成器１４を通過させることによって、水の内部にヒドロニウムイオン（Ｈ3 Ｏ+ ）とヒドロキシルイオン（Ｈ3 Ｏ2-）とＨ+ とＯＨ- とが発生する。なお、イオン交換樹脂３２を通過した塩素（Ｃｌ）と、イオン交換樹脂３２で発生したＮａ+ とは、反応することなくそのままイオン生成器１４を通過する。
【００２７】
イオン生成器１４を通過した水を、次に、火成岩のうち二酸化珪素を６５〜７６％含む岩石５４を収納する岩石収納器１６の内部を通過させる。火成岩（火山岩と深成岩とに分けられる）のうち二酸化珪素を多く含む岩石５４としては、火山岩には黒曜石や真珠岩や松脂岩等の流紋岩があり、深成岩には花崗岩がある。岩石収納器１６の内部には、黒曜石，真珠岩，松脂岩，花崗岩の岩石のうちの少なくとも1種類以上の岩石を収納する。黒曜石や真珠岩や松脂岩等の流紋岩、あるいは花崗岩はマイナス電子を帯びている。更に、黒曜石や真珠岩や松脂岩等の流紋岩や花崗岩は酸性岩である。流紋岩は花崗岩と同じ化学組成を持つものである。
【００２８】
これら火成岩のうちの二酸化珪素を約６５〜７６％を含む岩石（黒曜石や真珠岩や松脂岩等の流紋岩、あるいは花崗岩等の深成岩）は、原石の状態で−２０〜−２４０mＶの酸化還元電位を有する。但し、岩石５４は水に溶けるものを除く。岩石収納器１６は例えば内径を１０ｃｍとし、高さを８０ｃｍの筒とし、その内部に例えば５ｍｍ〜５０ｍｍ粒程度の大きさの火成岩のうちの二酸化珪素を多く含む岩石５４を、水の通過流量を落とさない程度の量を収容する。
【００２９】
この岩石収納器１６の内部に、イオン生成器１４を通過した水を通過させると、水にｅ- （マイナス電子）が加えられる。この結果、水道水に含まれている塩素（Ｃｌ）はマイナス電子によって、塩素イオンとなる。
Ｃｌ  ＋  ｅ-   →  Ｃｌ-       ……(4) 
このＣｌ- と前記Ｎａ+ とはイオンとして安定した状態になる。安定した状態とは、蒸発することなくイオン状態が長期間保たれることを意味する。また、前記ヒドロキシルイオン（Ｈ3 Ｏ2-）もイオンとして安定した状態になる。水が岩石５４を通過することによって、イオン生成器１４を通過した水と比べて、ヒドロニウムイオン（Ｈ3 Ｏ+ ）が更に発生し、かつヒドロキシルイオン（Ｈ3 Ｏ2-）も水素イオン（Ｈ+ ）も更に発生する。
Ｈ2 Ｏ  ＋  Ｈ+   →  Ｈ3 Ｏ+     ……(2) 
Ｈ3 Ｏ+   ＋  Ｈ2 Ｏ  →  Ｈ3 Ｏ2-  ＋  ２Ｈ+   ……(3)
水が岩石５４を通過することによって、その他に、以下の反応も発生する。
ＯＨ-   ＋  Ｈ+   →  Ｈ2 Ｏ    ……(5) 
２Ｈ+   ＋  ２ｅ-   →  ２Ｈ2   ……(6) 
更に、水が岩石収納器１６を通過すると、岩石５４のマイナス電子によって、水の酸化還元電位が＋３４０mＶから−２０〜−２４０mＶになる。水に代えてお湯を使うと、マイナスの酸化還元電位がより安定する。更に、岩石５４を通過した水は、溶存酸素や活性水素を大量に含む。
【００３０】
図１に示すように、水が、最初にイオン交換樹脂を通過し、次にトルマリン４６（またはトルマリン４６と金属４８とを混合させたもの）に通過し、その後に岩石収納器１６を通過したものが特殊な水（創生水）である。創生水には、Ｎａ+ と、Ｃｌ- と、Ｈ+ と、ＯＨ- と、Ｈ2と、ヒドロニウムイオン（Ｈ3 Ｏ+ ）と、ヒドロキシルイオン（Ｈ3 Ｏ2-）と、活性水素と、溶存酸素とを多く含む。この水のエネルギは０．００４ｗａｔｔ／ｃｍ2 である４〜１４ミクロンの波長の電磁波を有し、−２０〜−２４０mＶの酸化還元電位を有する。
【００３１】
本発明に係る水素の製造方法を生成する際に使用する水としては、水をイオン交換樹脂３２，トルマリン４６（またはトルマリン４６と金属４８とを混合したもの），岩石５４の順に通過させた創生水を使用する。図１では、水をイオン交換樹脂３２，トルマリン４６（またはトルマリン４６と金属４８とを混合したもの），岩石５４の順に通過させたが、水をイオン交換樹脂３２，岩石５４，トルマリン４６（またはトルマリン４６と金属４８とを混合したもの）の順にしても良い。即ち、図４に示すように、水を第１の軟水生成器１０と第２の軟水生成器１２と岩石収納器１６とイオン生成器１４の順に通過させるようにしてもよい。
【００３２】
この図４においては、イオン交換樹脂３２を通過した水は、次に岩石５４を通過する。この岩石５４によって、水の内部にｅ- （マイナス電子）が発生する。この結果、水道水に含まれている塩素はマイナス電子によって、塩素イオンとなる。
Ｃｌ  ＋  ｅ-   →  Ｃｌ-       ……(4) 
このＣｌ- とイオン交換樹脂３２によって発生したＮａ+ とはイオンとして安定した状態になる。なお、イオン交換樹脂３２を通過した水であっても、Ｎａ+ を含まない場合もある。
イオン交換樹脂３２を通過した水には、前記(1) (2) に示すように、Ｈ+ とＯＨ- とヒドロニウムイオン（Ｈ3 Ｏ+ ）とが存在する。イオン交換樹脂３２を通過した水が、その後、岩石５４を通過することによって、以下の反応も発生する。
ＯＨ-   ＋  Ｈ+   →  Ｈ2 Ｏ    ……(5) 
Ｈ2 Ｏ  ＋  Ｈ+   →  Ｈ3 Ｏ+     ……(2) 
２Ｈ+   ＋  ２ｅ-   →  ２Ｈ2   ……(6) 
この反応においては、ヒドロニウムイオン（Ｈ3 Ｏ+ ）が、イオン交換樹脂３２によって発生する量よりも更に多くの量が発生する。
以上のように、イオン交換樹脂３２の後に岩石５４を通過することによって、水の中に従来から存在したＮａ+ とＯＨ- と、新たに発生するＣｌ- とヒドロニウムイオン（Ｈ3 Ｏ+ ）とが存在することになる。また、岩石５４を通過させた水は、酸化還元電位が−２０〜−２４０mＶになる。水に代えてお湯を使うと、マイナスの酸化還元電位が更に安定する。更に、岩石５４を通過した水は、溶存酸素や活性水素を大量に含む。
【００３３】
この岩石５４を通過した水を、次にトルマリン４６と金属４８を内蔵するイオン生成器１４の内部を通過させる。これによって、以下の反応が生じる。
Ｈ2 Ｏ  →  Ｈ+   ＋  ＯＨ-     ……(1) 
Ｈ2 Ｏ  ＋  Ｈ+   →  Ｈ3 Ｏ+     ……(2) 
このヒドロニウムイオン（Ｈ3 Ｏ+ ）は大量に発生する。またヒドロニウムイオン（Ｈ3 Ｏ+ ）の一部はヒドロキシルイオン（Ｈ3 Ｏ2-）になる。
Ｈ3 Ｏ+   ＋  Ｈ2 Ｏ  →  Ｈ3 Ｏ2-  ＋  ２Ｈ+   ……(3)
この結果、トルマリン４６と金属４８を通過させた水には、ヒドロニウムイオン（Ｈ3 Ｏ+ ）と、ヒドロキシルイオン（Ｈ3 Ｏ2-）と、ＯＨ- と、Ｈ+ とが増加する。
【００３４】
図４に示すように、水をイオン交換樹脂３２，岩石５４，トルマリン４６（またはトルマリン４６と金属４８とを混合したもの）の順に通過させたものは、Ｎａ+ と、Ｃｌ- と、ＯＨ- と、ヒドロニウムイオン（Ｈ3 Ｏ+ ）と、ヒドロキシルイオン（Ｈ3 Ｏ2-）と、Ｈ+ と、溶存酸素と、活性水素とを含み、図１で創り出した創生水と同じ成分を含む。更に、０．００４ｗａｔｔ／ｃｍ2 のエネルギを有する４〜１４ミクロンの電磁波と、−２０〜−２４０mＶの酸化還元電位を有する。この結果、図４で創り出した水と図１で創り出した創生水とは、同じ効果を有する。図４の装置で生成する水は、図１で生成する創生水と、水に含むものは結果的に同じであるので、図４の装置で生成する水も創生水とする。
【００３５】
この創生水の水質検査結果を、以下に示す。この創生水と比較する水道水の値をカッコ内に示す。但し、水道水において創生水と同じ値は、「同じ」とする。亜硝酸性窒素及び硝酸性窒素：１．８mg/l（同じ）、塩素イオン：６．８mg/l（９．０mg/l）、一般細菌：０個/ml （同じ）、シアンイオン０．０１mg/l未満（同じ）、水銀：０．０００５mg/l未満（同じ）、有機リン：０．１mg/l未満（同じ）、銅：０．０１mg/l未満（同じ）、鉄：０．０５mg/l未満（０．０８mg/l未満）、マンガン：０．０１mg/l未満（同じ）、亜鉛：０．００５mg/l未満（０．０５４mg/l未満）、鉛：０．０１mg/l未満（同じ）、六価クロム：０．０２mg/l未満（同じ）、カドミウム：０．００５mg/l未満（同じ）、ヒ素：０．００５mg/l未満（同じ）、フッ素：０．１５mg/l未満（同じ）、カルシウムイオン・マグネシウムイオン等（硬度）：１．２mg/l（４９．０mg/l）、フェノール類：０．００５mg/l未満（同じ）、陰イオン海面活性剤０．２mg/l未満（同じ）、ｐＨ値：６．９（同じ）、臭気：異臭なし（同じ）、味：異味なし（同じ）、色度：２度（同じ）、濁度：０度（１度）
【００３６】
創生水は、以下に列挙する多くの特徴を有する。
(a) ヒドロニウムイオン（Ｈ3 Ｏ+ ）と、ヒドロキシルイオン（Ｈ3 Ｏ2-）と、水素イオン（Ｈ+）と、水素（Ｈ2）と、水酸基（ＯＨ-）と、硫酸イオン（ＳＯ４２-）と、炭酸水素イオン（ＨＣＯ3 -）と、炭酸イオン（ＣＯ3２-）と、メタケイ酸（Ｈ2ＳｉＯ3）と、遊離二酸化炭素（ＣＯ2）とを含んでいる。 (b)(b) 界面活性作用がある。
界面活性作用（ＯＷ型創生水乳化作用）を有する。
(c）微弱エネルギ（育成光線）作用がある。
トルマリンは微弱エネルギ（４〜１４ミクロンの波長の電磁波）を放出する。この微弱エネルギは水の大きいクラスターを切断して、クラスター内に抱えこまれていた有毒ガスや重金属類を水から外部に放出する。
(d) −２０〜−２４０mＶの酸化還元電位を有している。
(e) 溶存酸素や活性水素を含んでいる。
(f) カルシウムイオンやマグネシウムイオンを除去した軟水である。
イオン交換樹脂に水道水等を通すことによって、水に含まれているカルシウムイオン及びマグネシウムイオンを除去することができる。
(g) 活性水素炭酸水素イオン（ＨＣＯ3 -）や、メタケイ酸（Ｈ2ＳｉＯ3）を含んでいる。
【００３７】
生成した前記創生水を、更に、火成岩のうち二酸化珪素を６５〜７６％含む岩石５４（例えば黒曜石）を収納する岩石収納器（図１に示す岩石収納器１６と同一の構造のもの）の内部に長く通過させた水(この水を「創生水Ｈ１」と命名する)を生成して、この「創生水Ｈ１」を使用しても良い。「創生水Ｈ１」を生成する装置としては、複数の岩石収納器１６を連絡管で直列に連結し、複数連結した岩石収納器１６の連絡管の一方と他方とをタンクに連絡し、タンク内に創生水を入れる。連絡管の途中にポンプを備える。ポンプを作動させることによって、タンク内の創生水は複数の岩石収納器を順に通過してタンクに入り、その後タンクと複数連結した岩石収納器１６内を何度も循環するように設定する。創生水を、火成岩のうち二酸化珪素を６５〜７６％含む岩石５４（例えば黒曜石）に長く接触させることによって、創生水に水素を更に大量に含むものである（２Ｈ+ ＋２ｅ- →２Ｈ2 ……(6)）。
【００３８】
次に、本発明に係る不完全エマルジョン燃料及び不完全エマルジョン燃料による高熱量発生方法を図５に基づいて説明する。本発明の不完全エマルジョン燃料及び不完全エマルジョン燃料による高熱量発生方法には、水として特殊な水（創生水または創生水Ｈ１）を使用する。
【００３９】
本発明は、創生水を入れる水タンク６０と、燃料を入れる燃料タンク６２とを有する。図５において、水タンク６０と燃料タンク６２とは、創生水や燃料の移動方向において最も上流側に配置される。水タンク６０には水を外部に排出する水排出通路６４が連絡され、燃料タンク６２には水を外部に排出する燃料排出通路６６が連絡される。水排出通路６４と燃料排出通路６６とは合流して、合流位置から下流側は１個の上流側主通路６８となっている。水排出通路６４の途中にはその水排出通路６４を開閉する水用開閉弁７０が備えられ、燃料排出通路６６の途中にはその燃料排出通路６６を開閉する燃料用開閉弁７２が備えられる。
【００４０】
上流側主通路６８の途中にはポンプ７４が備えられ、ポンプ７４の働きによって、水タンク６０からの創生水と燃料タンク６２からの燃料とが上流側主通路６８に導入される。ポンプ７４において創生水と燃料とが攪拌されるが、その攪拌は創生水と燃料とを粗く攪拌混合するものである。粗く攪拌された創生水と燃料との混合物は、上流側主通路６８を経由してその下流側に移動する。ポンプ７４は加圧ポンプであり、下流側に移動する創生水と燃料との混合物を加圧するものである。上流側主通路６８におけるポンプ７４位置の下流側に、混合促進手段である混合促進構造体７６を備える。
【００４１】
混合促進構造体７６は、上流側主通路６８と連絡する１個の上流側連絡通路７８と、上流側連絡通路７８と間を開けて並列に備えられる１個の下流側連絡通路８０と、それら上流側連絡通路７８と下流側連絡通路８０の間に複数個（ｎ個）並列に接続される中間連絡通路８２（８２ａ、８２ｂ、８２ｃ、……、８２ｎ）と、を有する。ｎ個の中間連絡通路８２のうち、1個の中間連絡通路８２ａの途中には、開閉弁８４ａを備える。1個の中間連絡通路８２ａを除くその他の中間連絡通路８２ｂ、８２ｃ、……、８２ｎの途中には、それぞれ上流側に開閉弁８４ｂ、８４ｃ、……、８４ｎを備え、それぞれ下流側に混合手段としてのノズル８６ｂ、８６ｃ、……、８６ｎを備える。
【００４２】
下流側連絡通路８０は、下流側主通路８８と連絡する。即ち、上流側主通路６８は、混合促進構造体７６を介して、下流側主通路８８と連絡する。混合促進構造体７６においては、上流側主通路６８から下流側主通路８８に向けて燃料のみを流す場合には、開閉弁８４ｂ、８４ｃ、……、８４ｎを閉じると共に、開閉弁８４ａのみを開く。これによって、燃料のみを流す場合には、上流側主通路６８から中間連絡通路８２ａを経て下流側主通路８８に燃料のみが流れる。一方、上流側主通路６８から下流側主通路８８に向けて創生水と燃料との混合体を流す場合には、混合促進構造体７６においては、開閉弁８４ａを閉じ、開閉弁８４ｂ、８４ｃ、……、８４ｎを開く。開閉弁８４ｂ、８４ｃ、……、８４ｎのうちの開く個数を調整することによって、下流側への創生水と燃料の混合体の流量を調整することができる。
【００４３】
中間連絡通路８２ｂ、８２ｃ、……、８２ｎに備えられるノズル８６ｂ、８６ｃ、……、８６ｎは、ポンプ７４の攪拌によって細分化された創生水と燃料を更に微細化させるものである。創生水は界面活性効果があることから、ノズル８６ｂ、８６ｃ、……、８６ｎを通過した創生水と燃料は、一部にはエマルジョンになる可能性があるが、界面活性剤を何ら使用していないので、原則としてエマルジョン化することはなく、創生水と燃料は更に微細化して均等に分散して混合した状態のものとなる。創生水と燃料とを微細化して均等に分散混合したものであって、エマルジョンを一部に含んでいる可能性があるものを「不完全エマルジョン燃料」とする。言い換えると、混合手段（ノズル８６ｂ、８６ｃ、……、８６ｎ）を通過した創生水と燃料を「不完全エマルジョン燃料」とする。なお、混合手段は、ノズルに限るものではない。
【００４４】
混合促進構造体７６において、複数の中間連絡通路８２ｂ、８２ｃ、……、８２ｎと、複数のノズル８６ｂ、８６ｃ、……、８６ｎを設けたのは、創生水と燃料とを微細化した混合物（不完全エマルジョン燃料）を大量に作り出すためであると共に、不完全エマルジョン燃料の供給量を必要に応じて調整するためである。不完全エマルジョン燃料を構成する創生水と燃料とを更に微細化する場合には、ノズルを何度か通過させるようにしても良い。
【００４５】
このように、創生水と燃料との微細化した混合物である不完全エマルジョン燃料を閉鎖通路である中間連絡通路８２ｂ、８２ｃ、……、８２ｎで作る。閉鎖通路で不完全エマルジョン燃料を作ることは、創生水と燃料とから生成した不完全エマルジョン燃料を直ちに使用するためであり、創生水と燃料とから生成した不完全エマルジョン燃料を直ちに使用することで、不完全エマルジョン燃料であっても、完全にエマルジョン化しない状態でも、着火燃焼させることができる。
【００４６】
混合促進構造体７６において、中間連絡通路８２ｂ、８２ｃ、……、８２ｎで生成された不完全エマルジョン燃料は、下流側連絡通路８０で集められて、下流側連絡通路８０から下流側主通路８８に流入される。下流側主通路８８は、途中で２つの通路に分岐して、第一下流側主通路８８ａと第二下流側主通路８８ｂとになる。第一下流側主通路８８ａの途中には開閉弁９０ａが備えられ、第二下流側主通路８８ｂの途中には開閉弁９０ｂが備えられる。下流側主通路８８を途中で２つの通路に分岐して、第一下流側主通路８８ａと第二下流側主通路８８ｂとした場合には、バーナー９２内に位置する第一下流側主通路８８ａと第二下流側主通路８８ｂのそれぞれの先端に、燃料噴射ノズル９４を備える。なお、下流側主通路８８を第一下流側主通路８８ａと第二下流側主通路８８ｂとの２つの通路に分岐しないで１つの通路とし、燃料噴射ノズル９４も１個としても良い。
【００４７】
図６に示すように、バーナー９２はハウジング９６を有し、ハウジング９６内の空間９８に燃料噴射ノズル９４と着火手段である点火プラグ１００を備える。本発明では、バーナー９４の燃料噴射ノズル９４の噴射口の下流側で、点火プラグ１００付近に酸素供給管１０２の開口部を配置する。燃料噴射ノズル９４から噴射された不完全エマルジョン燃料（創生水と燃料との混合体）に、酸素供給管１０２から供給される酸素（純酸素）を投入し、酸素を不完全エマルジョン燃料（創生水と燃料との混合体）に混合させる。酸素供給管１０２からの酸素の投入位置は、不完全エマルジョン燃料から放出される水素（後述する）と投入される酸素とが混合されて、その混合の後に水素と酸素の混合物が着火されるような位置とする。
【００４８】
図６には、燃料１００％や不完全エマルジョン燃料に酸素を混合したもの等の燃焼温度を比較測定するための測定部材を示している。バーナー９２で発生した着火手段としての火炎１０４の下流側に、内部空間１０６を有する両端開放の筒状の金属缶１０８を備える。この金属缶１０８の内部空間１０６にバーナー９２で発生した火炎１０４を通過させる。金属缶１０８の外表面に、その金属缶１０８の外表面の温度を測定するための温度測定具１１０を取り付ける。温度測定具１１０は、火炎１０４の温度を直接測定するものではなく、火炎１０４によって加熱された金属缶１０８の外表面の温度を測定するものである。火炎１０４の温度は、金属缶１０８の外表面の温度より充分高いものである。
【００４９】
金属缶１０８の位置より下流側に、保持具１１２を備えると共に、その保持具１１２に３枚の平行な鉄板１１４を保持する。金属缶１０８の内部空間１０６を通過して外部に突出する火炎１０４を鉄板１１４の中央に当てるように、鉄板１１４を配置する。
【００５０】
次に、本発明に係る不完全エマルジョン燃料（創生水と燃料とを微細化したものが均一に分散混合された燃料）の製造方法を、第５図に基づいて説明する。創生水と燃料とから不完全エマルジョン燃料を製造する場合には、水タンク６０からの創生水と燃料タンク６２からの燃料とを上流側主通路６８に導入する。創生水と燃料は上流側主通路６８に分離された状態で導入されるが、上流側主通路６８の途中に備えられるポンプ７４で攪拌されて、混合促進構造体７６に送られる。創生水と燃料はポンプ７４で粗く攪拌され、創生水の多くの小さな粒子(塊)と、燃料の多くの小さな粒子(塊)とが均等に分散混合された状態である。本発明に係る不完全エマルジョン燃料は、界面活性剤を用いないので、創生水と燃料との混合物はエマルジョンにならないものである。
【００５１】
上流側主通路６８から混合促進構造体７６に送られた創生水と燃料との混合物は、上流側連絡通路７６を経由して、その上流側連絡通路７６から分岐した多数の中間連絡通路８２ｂ、８２ｃ、……、８２ｎに至る。ここで、開閉弁８４ａを閉じると共に、開閉弁８４ｂ、８４ｃ、……、８４ｎを開放するように操作する。これによって、創生水と燃料との混合物は、各中間連絡通路８２ｂ、８２ｃ、……、８２ｎに至り、各ノズル８６ｂ、８６ｃ、……、８６ｎを通過する。各ノズル８６ｂ、８６ｃ、……、８６ｎによって創生水と燃料との混合物は更に細かく攪拌混合され、その後、下流側燃料通路８０で集められ、下流側燃料通路８０から下流側主通路８８に導かれる。
【００５２】
多数のノズル８６ｂ、８６ｃ、……、８６ｎを通過することで、創生水と燃料との混合物は、創生水と燃料が更に微細化され、創生水と燃料がより細かく分散して均等に混合された不完全エマルジョン燃料となる。不完全エマルジョン燃料では、界面活性剤を使用していないため創生水と燃料とは乳化するものではないが、創生水は界面活性作用を有するので、創生水と燃料との混合物の一部にエマルジョンを発生する可能性がある。混合促進構造体７６において不完全エマルジョン燃料が形成され、その不完全エマルジョン燃料は、その後、下流側主通路８８に導かれる。下流側主通路８８に導かれた不完全エマルジョン燃料は、加圧ポンプ７４の働きによってバーナー９２の噴射ノズル９４から噴射される。噴射ノズル９４から噴射される不完全エマルジョン燃料に、スタート時に点火プラグ１００で着火される。なお、一旦不完全エマルジョン燃料に着火した後は、火炎１０４が噴射ノズル９４から噴射される不完全エマルジョン燃料に着火する。  
【００５３】
例えば、寒冷地方などにおいては、始動時に水の凍結が発生する場合があり、その際に、始動時に一時的に燃料１００％を使用する場合がある。この際に、混合促進構造体７６において、開閉弁８４ｂ、８４ｃ、……、８４ｎを閉鎖し、開閉弁８４ａを開く。そして、上流側主通路６８に燃料１００％を導入させ、上流側主通路６８を通過する燃料１００％は、混合促進構造体７６の中間連絡通路８２ａのみを通過して、下流側主通路８８に導くようにする。なお、ノズル８６ｂ、８６ｃ、……、８６ｎの口径の大きさを異なるものとして、混合促進構造体７６を通過する不完全エマルジョン燃料の流量を調整できるようにしても良い。更に、ノズル８６ｂ、８６ｃ、……、８６ｎの一部または全部を通過させて不完全エマルジョン燃料を生成する際に、中間連絡通路８２ａも開く場合もある。
【００５４】
本発明の不完全エマルジョン燃料で発生する熱量は、不完全エマルジョン燃料に含まれる燃料による発熱量より高い発熱量となるものである。これを図６及び図７に基づいて説明する。図７は、実験結果を示すものである。この図７において、左側縦方向の数値は、図６において測定した金属缶１０８の外側表面の温度を示すものである。図７において、下から上に向けて順に、（１）、（２）、（２’）、（１’）の温度が表示されている。（１）は、本発明に係る不完全エマルジョン燃料を燃焼させた場合の金属缶１０８の外側表面の温度を示すものである。不完全エマルジョン燃料における創生水と燃料（Ａ重油）との比率は、創生水４０％：燃料６０％である。不完全エマルジョン燃料を燃焼させた場合の金属缶１０８の外側表面温度は約８３０℃である。（２）は、燃料（Ａ重油）１００％を燃焼させた場合の金属缶１０８の外側表面の温度を示すものである。燃料（Ａ重油）のみを燃焼させた場合の金属缶１０８の外側表面温度は約８５６℃である。（２’）は、噴射ノズル９４から噴射した燃料（Ａ重油）に純酸素を投入混合したものを燃焼させた際の金属缶１０８の外側表面の温度を示すものである。燃料（Ａ重油）１００％と酸素を混合したものを燃焼させた状態の金属缶１０８の外側表面温度は約９２９℃である。（１’）は、噴射ノズル９４から噴射した不完全エマルジョン燃料に純酸素を投入混合したものを燃焼させた際の金属缶１０８の外側表面の温度を示すものである。不完全エマルジョン燃料と純酸素を混合したものを燃焼させた状態の金属缶１０８の外側表面温度は約９５４℃である。（１）、（２）、（２’）、（１’）の全てにおいて、燃料噴射ノズル９４からの噴射燃料量を０．６２Ｌ／分とした。
【００５５】
（２）のＡ重油１００％を燃焼させた状態の金属缶１０８の外側表面温度は約８５６℃であるが、Ａ重油１００％を燃焼させた際の実際の火炎の温度は約１３００℃であることが分かっている。一方、（１）の不完全エマルジョン燃料（創生水とＡ重油とを混合したものであり、界面活性剤を使用しないもの）を燃焼した際の金属缶１０８の外側表面温度は約８３０℃であった。ここで、（１）の不完全エマルジョン燃料に代えて、従来既知のエマルジョン燃料（水：燃料（Ａ重油）＝４０％：６０％、このようなエマルジョン燃料が存在するものとして考える）を燃焼させたと仮定する。水：燃料＝４０％：６０％であることから、このエマルジョン燃料の発熱量は、Ａ重油１００％を燃焼させた場合の発熱量の約６０％になるのが一般的である。図７での（２）のＡ重油１００％における金属缶１０８の外側表面温度は約８５６℃である。このことから考えると、従来既知のエマルジョン燃料（水：燃料＝４０％：６０％）を燃焼させると、金属缶１０８の外側表面温度は、例えば、８５６℃×０．６＝５１４℃となると想定される。即ち、従来既知のエマルジョン燃料（水：燃料＝４０：６０）を燃焼させた場合の金属缶１０８の外側表面温度は、（２）のＡ重油１００％における金属缶１０８の外側表面温度（約８５６℃）よりも遥かに低いものとなるはずである。
これに対して、図７に示すように、（１）の本発明の不完全エマルジョン燃料を燃焼させた場合の金属缶１０８の外側表面温度は約８３０℃であり、（２）のＡ重油１００％の燃焼温度８５６℃に近い温度であった。図７における（１）の温度が（２）の温度に近いことから、創生水と燃料とを混合手段８６を介して微細化して混合分散した不完全エマルジョン燃料（エマルジョンを一部に含んでいる可能性がある）は、不完全エマルジョン燃料に含まれる燃料量のみを燃焼して得られる発熱量よりも充分に高い発熱量を得ることができるものである。
【００５６】
本発明に係る創生水とＡ重油とを混合した不完全エマルジョン燃料は、界面活性剤を使用しないことを原則とするものである。従来のエマルジョン燃料は、界面活性剤を使用することによって、水と燃料とを乳化させるものである。完全にエマルジョン化していない場合には、水と燃料とが分離しているために、水の存在によって、燃焼しないか、燃焼しても燃焼温度が低くなって、実用に乏しいものとなっていた。また、界面活性剤は、燃焼温度を下げるものであるため、例えば（１）の不完全エマルジョン燃のように加水率（エマルジョン燃料における水の割合）が４０％のように高い比率であれば、燃焼温度が高くならないものであった。即ち、従来の既知のエマルジョンン燃料では、加水率が４０％であったら、燃料１００％の燃焼温度に対して、一般には例えば約６０％程度の燃焼温度になる。以上のことから考えると、創生水を使用する本発明の不完全エマルジョン燃料は、同じ加水率の従来既知の普通の水（例えば水道水）を使用するエマルジョン燃料と比べて、非常に高い発熱量を得ることが分かる。
【００５７】
本発明の創生水とＡ重油とから成る不完全エマルジョン燃料では、創生水とＡ重油とを微細化して均一に分散混合させたものであるので、エマルジョン化していなくても、充分に燃焼可能な状態である。不完全エマルジョン燃料を構成する創生水は、水道水等の普通の水に比べて、内部に有する空孔の数が多いと推測される。更に、その空孔に気体（水素）を含んでいると推測される。不完全エマルジョン燃料を燃料噴射ノズル９４から噴射する際に、燃料噴射ノズル９４の上流側の圧力（例えば５〜２０気圧）が高く、燃料噴射ノズル９４から噴射された後の下流側の圧力が低い（大気圧）ため、不完全エマルジョン燃料の圧力が開放され、その圧力開放によって不完全エマルジョン燃料に内蔵されている水素が外部に放出されると推測される。よって、この不完全エマルジョン燃料を燃焼させると、不完全エマルジョン燃料本来の熱量に、外部に放出される水素の熱量が増加されるので、本発明の不完全エマルジョン燃料は、その不完全エマルジョン燃料に含まれる燃料のみによる発熱量と比べて、高い発熱量を出すことができ、充分実用性があると考えられる。本発明の不完全エマルジョン燃料は、創生水と燃料とから不完全エマルジョン燃料を生成したものを、生成後直ちに燃焼させるものである。生成後直ちに燃焼させることから、ほぼ完全なエマルジョン化の必要が無くなり、よって、界面活性剤を使用する必要性を無くしたものである。従って、界面活性剤を不要としたことによる費用の削減を達成し、界面活性剤を使用しないことによる燃焼温度の低下を防止することができる。
【００５８】
本発明の創生水と燃料（Ａ重油）とを混合した不完全エマルジョン燃料の燃焼温度は、燃料（Ａ重油）１００％と比べて燃焼温度(発熱量)が若干低い。このため使用対象によっては、不完全エマルジョン燃料を採用してもらえない場合がある。また、燃料（Ａ重油）１００％以上の高い燃焼温度を必要とする対象には、従来からエマルジョン燃料は採用されなかった。
【００５９】
本発明では、創生水を使用した不完全エマルジョン燃料を基本燃料とすることで、燃料１００％よりも充分高い燃焼温度を得ることができるものであり、そのことを図６と図７に基づいて説明する。図６に示すように、本発明では、燃料噴射ノズル９４から噴射された不完全エマルジョン燃料に、酸素を投入混合させるものである。不完全エマルジョン燃料から放出された水素に酸素を混合した混合物を燃焼させることで、非常に高い発熱量を得ることができる。図７に示すように、噴射ノズル９４から噴射した不完全エマルジョン燃料に純酸素を投入混合したものを燃焼させた際の温度を（１’）に示す。これに対して、燃料噴射ノズル９４から噴射されたＡ重油１００％に純酸素を投入混合させたものを、図７の（２’）に示す。（１’）の燃焼温度が約９５４℃に対し、（２’）の燃焼温度が約９２９℃である。この図７に示す測定結果からすれば、（１’）の不完全エマルジョン燃料に純酸素を投入混合させた燃焼温度は、（２’）のＡ重油１００％に純酸素を投入混合させた燃焼温度や（２）Ａ重油１００％を燃焼させた燃焼温度より高くなる。
【００６０】
不完全エマルジョン燃料に純酸素を投入混合させた燃焼温度が、Ａ重油１００％に純酸素を投入混合させた燃焼温度より高くなるこの理由は、燃料噴射ノズル９４から噴射された不完全エマルジョン燃料からは、多数の空孔を有する創生水に内蔵されていた大量の気体（水素）が放出されるからだと推測される。不完全エマルジョン燃料は、燃料噴射ノズル９４において例えば１０〜１５気圧程度（最大範囲で５〜２０気圧）に加圧され、その後、燃料噴射ノズル９４から噴射された際に、創生水の空孔に内蔵されていた水素が、圧力の減少によって大量に創生水の外部に開放放出されるのではないかと推測される。燃料噴射ノズル９４から噴射される不完全エマルジョン燃料から放出される水素と、新たに不完全エマルジョン燃料に投入される酸素とが混合し、水素と酸素との混合物を燃焼させることによって高い熱量が発生する。これによって、不完全エマルジョン燃料に純酸素を投入混合させた混合物による発熱量が、燃料１００％で発生する熱量よりも高くなるものと考えられる。この結果、それ自体の燃焼では発熱量が低いと従来から考えられていたエマルジョン燃料を用いて、燃料１００％で発生する発熱量より高い熱量を得ることが可能となった。
【００６１】
酸素供給管１０２から不完全エマルジョン燃料に酸素を投入混合する位置は、酸素が不完全エマルジョン燃料に投入されて水素と混合した後、水素と酸素との混合物に、着火手段（後述する火炎１０４または前述の点火プラグ１００）によって着火されるような位置とする。即ち、酸素は、不完全エマルジョン燃料が着火された後の火炎に投入するものではない。
【００６２】
不完全エマルジョン燃料に純酸素を投入混合したものを燃焼させた際の燃焼温度がどれ位であるかについての実験結果を図６で示す。不完全エマルジョン燃料に純酸素を投入混合したものを燃焼させた火炎１０４を、金属缶１０８の内部空間を通過させる。金属缶１０８を通過した火炎１０４を、保持具１１２で保持した３枚の平行な鉄板１１４の中央に当てる。この結果、３枚の鉄板１１４において火炎１０４を当てた全ての箇所に穴１１６が開いた。鉄板１１４の溶解温度は、種類にもよるが、１４５０℃〜１６００℃である。このことから、不完全エマルジョン燃料に純酸素を投入混合したものを燃焼させた場合の燃焼温度は、１６００℃以上であることが明らかである。
【００６３】
創生水の加水率（創生水と燃料との重量合計を１００％とした時の創生水の割合）について説明する。燃料はＡ重油とする。不完全エマルジョン燃料に酸素を投入混合する場合には、創生水の加水率が０％を超えて約１３％を超えるまでの間は、不完全エマルジョン燃料の燃焼による熱量は、Ａ重油１００％に酸素を投入混合して燃焼させた熱量と比べて、ほぼ同じ程度であった。ところが、創生水の加水率が１３．６％以上になると、図７における不完全エマルジョン燃料の燃焼による（１’）の温度は、Ａ重油に酸素を投入混合して燃焼させた（２’）の温度よりも高くなる。従って、創生水の加水率が１３．６％未満の場合には、Ａ重油１００％とほぼ熱量が変わらないことから、創生水の加水率の下限は、１３．６％とする。
【００６４】
一方、創生水の加水率が７８．６％を超えると、創生水の比率が高くなると共に、燃料の比率が低くなる。燃料の比率が小さいことから、燃焼を継続できなくなるおそれがある。この結果、創生水の加水率の上限は７８．６％である。即ち、不完全エマルジョン燃料に酸素を投入混合する場合では、創生水と重油との混合重量比の範囲は、創生水：Ａ重油＝１３．６％：８６．４％〜７８．４％：２３．６％である。
【００６５】
不完全エマルジョン燃料に酸素を投入混合しない場合（不完全エマルジョン燃料のみで燃焼する場合）には、創生水の加水率の下限は、０％を超えていれば良いが、実質的には１３．６％以上であれば良い。一方、創生水の加水率の上限は６０．２％である。創生水の加水率がこれ以上高くなると、燃焼を継続できなくなるおそれがある。従って、不完全エマルジョン燃料に酸素を投入しないで燃焼させる場合には、創生水と重油との混合重量比の範囲は、創生水：Ａ重油＝１３．６％：８６．４％〜６０．２％：３９．８％である。
【００６６】
前述したように、不完全エマルジョン燃料に酸素を投入混合しない場合での加水率の上限が６０．２％であり、不完全エマルジョン燃料に酸素を投入混合する場合での加水率の上限が８６．４％であることが実験で明らかにされた。この実験結果から、創生水を使用した不完全エマルジョン燃料では、酸素を混合させない場合と、酸素を混合させた場合とでは、創生水の加水率が大幅に変化する（酸素を混合させた場合では加水率が非常に高い）ことが分かる。また、図７から、酸素を混合させた場合の熱量が、酸素を混合させない場合の熱量よりも大幅に高いことが分かる。酸素と混合して高い熱量を発生するものとして、水素が従来から知られていることから、燃料噴射ノズル９４から噴射される不完全エマルジョン燃料からは、大量の水素が放出されるものと推測できる。更に、酸素ガスと水素ガスの割合が２：１である場合に爆発を起こすことが知られており、酸素の投入量の実験の際に爆発を起こしたことから、不完全エマルジョン燃料から、大量の水素が放出されることがほぼ正しいものとの証明になると思われる。
【００６７】
不完全エマルジョン燃料から放出される水素と不完全エマルジョン燃料に投入される酸素とが混合した後、水素と酸素の混合物に着火手段（火炎１０４か前述の点火プラグ１００）によって着火することによって、多大の熱量が発生する。不完全エマルジョン燃料に酸素を投入混合したものを燃焼して発生する熱量が、燃料１００％に酸素を混合した場合の熱量よりも高くなる。従って、燃料１００％よりも高い熱量を必要とするものに対しても、不完全エマルジョン燃料を使用することができる。
【符号の説明】
【００６８】
１０  第１軟水生成器
１２  第２軟水生成器
１４  イオン生成器
１６  岩石収納器
３２  イオン交換樹脂
４６  トルマリン
４８  金属
５４  岩石
６０  水タンク
６２  燃料タンク
６８  上流側主通路
７６  混合促進手段
８６  ノズル
８８  下流側主通路
９２  バーナー
９４  燃料噴射ノズル
１００  着火手段
１０２  酸素供給管
【図１】
2012036342.tif 000003
【図２】
2012036342.tif 000004
【図３】
2012036342.tif 000005
【図４】
2012036342.tif 000006
【図５】
2012036342.tif 000007
【図６】
2012036342.tif 000008
【図７】
2012036342.tif 000009